(57)【要約】      （修正有）【課題】人工まつげ、人工まつげ組み立て、人工まつげをまぶたに装着する適切な方法を提供する。【解決手段】人工まつげ１組み立て品は第１の端１１と第１の端の反対側の第２の端１２と複数の毛を有するベースストランド１０を含んでいる。第１のループ３１はベースストランド１０の第１の端１１の最も近くに配置され、第２のループ３２はベースストランド１０の第２の端１２の最も近くに配置される。第１の柔軟性のある部材は第１のループ３１と連結され、第２の柔軟性のある部材は第２のループ３２と連結される。【選択図】図４
2011074554.tif 000002
【特許請求の範囲】
【請求項１】
まぶたに人工まつげを装着するための方法は、
ａ）ベースストランドと複数の毛を有する人工まつげを提供するステップと、
ｂ）第１の柔軟性のある部材をベースストランドの第１の端の最も近くで人工まつげに固定するステップと、
ｃ）第２の柔軟性のある部材をベースストランドの第２の端の最も近くで人工まつげに固定するステップと、
ｄ）前記第１および前記第２の柔軟性のある部材をしっかりつかみ、選択された程度の張力を人工まつげに与えるステップと、
ｅ）前記第１および前記第２の柔軟性のある部材を用い、まぶた上の選択された位置で人工まつげを操作するステップと、
ｆ）粘着材料で人工まつげをまぶたに固定するステップと、
ｇ）前記第１の柔軟性のある部材および前記第２の柔軟性のある部材を人工まつげから除去するステップと、
を含むことを特徴とする人工まつげを装着するための方法。
【請求項２】
第１の柔軟性のある部材をベースストランドの第１の端の最も近くで人工まつげに固定する前記ステップは、前記第１の柔軟性のある部材が前記第１の端の最も近くに提供された第１のループを突き通すことをさらに含むこと、および
第２の柔軟性のある部材をベースストランドの第２の端の最も近くで人工まつげに固定する前記ステップは、前記第２の柔軟性のある部材が前記第２の端の最も近くに提供された第２のループを突き通すことをさらに含むことを特徴とする請求項１に記載の人工まつげを装着するための方法。
【請求項３】
前記第１の柔軟性のある部材および前記第２の柔軟性のある部材を人工まつげから除去する前記ステップは、前記第１の柔軟性のある部材は前記第１のループを滑らかに滑ること、および前記第２の柔軟性のある部材は前記第２のループを滑らかに滑ることをさらに含むことを特徴とする請求項２に記載の人工まつげを装着するための方法。
【請求項４】
第１の柔軟性のある部材をベースストランドの第１の端の最も近くで人工まつげに固定する前記ステップは、前記人工まつげの上の第１のクリップを前記ベースストランドの第１の端の最も近くで閉じることをさらに含むこと、および
第２の柔軟性のある部材をベースストランドの第２の端の最も近くで人工まつげに固定する前記ステップは、前記人工まつげの上の第２のクリップを前記ベースストランドの第２の端の最も近くで閉じることをさらに含むことを特徴とする請求項１に記載の人工まつげを装着するための方法。
【請求項５】
前記第１の柔軟性のある部材および前記第２の柔軟性のある部材を人工まつげから除去する前記ステップは、前記第１のクリップおよび前記第２のクリップを開くことをさらに含むことを特徴とする請求項４に記載の人工まつげを装着するための方法。
【請求項６】
ａ）第１の端と第１の端の反対側の第２の端を有するベースストランドと、
ｂ）複数の毛と、
ｃ）前記ベースストランドの前記第１の端の最も近くに配置された第１のループと、
ｄ）前記ベースストランドの前記第２の端の最も近くに配置された第２のループと、
を備えることを特徴とする人工まつげ。
【請求項７】
まぶた上に人工まつげを固定するため粘着材料をさらに備えることを特徴とする請求項６に記載の人工まつげ。
【請求項８】
前記第１のループと前記第２のループは前記複数の毛と本質的に同じ色であることを特徴とする請求項６に記載の人工まつげ。
【請求項９】
ａ）第１の端と第１の端の反対側の第２の端を有するベースストランドと、
ｂ）複数の毛と、
ｃ）前記ベースストランドの前記第１の端の最も近くに配置された第１のループと、
ｄ）前記ベースストランドの前記第２の端の最も近くに配置された第２のループと、
ｅ）前記第１のループと連結された第１の柔軟性のある部材と、
ｆ）前記第２のループと連結された第２の柔軟性のある部材と、
を備えることを特徴とする人工まつげ組み立て品。
【請求項１０】
まぶた上に人工まつげを固定するため粘着材料をさらに備えることを特徴とする請求項９に記載の人工まつげ組み立て品。
【請求項１１】
前記第１の柔軟性のある部材と前記第２の柔軟性のある部材は、それぞれある長さの糸を備えることを特徴とする請求項９に記載の人工まつげ組み立て品。
【請求項１２】
前記第１の柔軟性のある部材と前記第２の柔軟性のある部材は、それぞれ透明の材料を含むことを特徴とする請求項９に記載の人工まつげ組み立て品。
【請求項１３】
前記第１の柔軟性のある部材と前記第２の柔軟性のある部材は、それぞれ半透明の材料を含むことを特徴とする請求項９に記載の人工まつげ組み立て品。
【請求項１４】
前記第１の柔軟性のある部材と前記第２の柔軟性のある部材は、それぞれ汚れがこびりつかない表面を含むことを特徴とする請求項９に記載の人工まつげ組み立て品。
【請求項１５】
前記第１の柔軟性のある部材と前記第２の柔軟性のある部材は、それぞれシリコン処理糸を含むことを特徴とする請求項１４に記載の人工まつげ組み立て品。
【請求項１６】
ａ）第１の端と第１の端の反対側の第２の端を有するベースストランドと、
ｂ）複数の毛と、
ｃ）前記第１の端の最も近くで連結された第１の柔軟性のある部材と、
ｄ）前記第２の端の最も近くで連結された第２の柔軟性のある部材と、
を備えることを特徴とする人工まつげ組み立て品。
【請求項１７】
まぶた上にベースストランドを固定するため粘着材料をさらに備えることを特徴とする請求項１６に記載の人工まつげ組み立て品。
【請求項１８】
前記第１の柔軟性のある部材に固定された第１のクリップと、前記第２の柔軟性のある部材に固定された第２のクリップをさらに備えることを特徴とする請求項１６に記載の人工まつげ組み立て品。
【請求項１９】
前記第１のクリップは、前記第１の柔軟性のある部材を受け入れるための第１の開口と前記ベースストランドの前記第１の端をしっかりつかむための第１の保持部分とを含み、前記第２のクリップは、前記第２の柔軟性のある部材を受け入れるための第２の開口と前記ベースストランドの前記第２の端をしっかりつかむための第２の保持部分とを含むことを特徴とする請求項１８に記載の人工まつげ組み立て品。
【請求項２０】
前記第１のクリップと前記第２のクリップのそれぞれは前記ベースストランドをしっかりつかむための閉じた位置と前記ベースストランドを開放するための開いた位置との間を移動可能なスナップ方式のクリップを含むことを特徴とする請求項１８に記載の人工まつげ組み立て品。
【発明の詳細な説明】
【技術分野】
【０００１】
本発明は、人工まつげ、人工まつげ組み立て品、人工まつげをまぶたに装着する方法に関する。
【背景技術】
【０００２】
人の目を、装着者のまぶたに固定された人工まつげで飾ることは知られている。典型的な応用で、人工まつげは必要な長さに切断されることができる。ラテックス性の接着剤のような接着剤が人工まつげに適用される。人工まつげは装着者の指でしっかりつかまれ、選択された湾曲に曲げられ、手動で装着者のまぶたの上に装着者によって置かれる。
【０００３】
使用者の手で直接人工まつげをしっかりつかむ他の方法として、まぶたに人工まつげを装着するための多くの装着器が知られている。これらの知られた装着器は、人工まつげの完全な長さまたは実質的完全な長さに沿って、しっかりつかむ接触を提供する硬いプラスチック２つ折りの様式の装着器を備えている。さらに特許文献１は人工まつげのためのプラスチック装着器を開示している。この装着器は、人工まつげの凹面側を固定するハンドルと弓形のサポート部分を有している。
【先行技術文献】
【特許文献】
【０００４】
【特許文献１】米国特許  ４０１８３３６号
【発明の概要】
【発明が解決しようとする課題】
【０００５】
効果的な装着は、人工まつげの正確な位置と同様に、適切な程度の張力と湾曲を要求する。まぶたの隅で人工まつげの端の十分な接着が特に重要である。なぜなら、この領域は人工まつげが適切に装着されないと浮き上がるためである。
【０００６】
人工まつげを装着する既存の手法に関連するいくつかの欠点がある。特に、使用者の手、指および／または装着器の位置は、人工まつげの装着の間、装着者の目に最も近く、人工まつげが装着される領域の鏡の中で、使用者の視界をふさぎ、そのため、置くことを困難にさせる。
【０００７】
さらに、存在する装着の手法の中で、使用者のまぶたに人工まつげを固定するために用いられる接着剤は、使用者の指および／または装着器にくっつき、人工まつげの過度の取り扱いを要求し、望ましくない人工まつげのゆがみおよび曲げを導く。既存の装着器は、さまざまな目の形に対して、人工まつげの効果的装着に適切でない。例えば、硬いプラスチック２つ折りの様式の装着器はあらかじめ設定された湾曲で人工まつげを固定する。
【０００８】
さらに、使用者の手および／または指を装着領域から離れた位置にしたまま、従って、視界を妨げなく、より正確な位置決めを可能とする人工まつげ、人工まつげ組み立て品、および人工まつげをまぶたに装着する方法のための要求が存在する。使用者の指または装着器の不必要な接着を除去するまたは最小化する人工まつげ、人工まつげ組み立て品、および人工まつげをまぶたに装着する方法のための要求も存在する。さらに、様々な目の形に対して人工まつげの選択された張力と位置を簡単にかつ容易に達成することを使用者に可能とする人工まつげ、人工まつげ組み立て品、および人工まつげをまぶたに装着する方法のための要求も存在する。
【課題を解決するための手段】
【０００９】
人工まつげ、人工まつげ組み立て品、および人工まつげを装着する方法が提供される。
【００１０】
一つの側面で、まぶたに人工まつげを装着するための方法は、ベースストランドと複数の毛を有する人工まつげを提供するステップを含んでいる。第１の柔軟性のある部材はベースストランドの第１の端の最も近くで人工まつげに固定され、第２の柔軟性のある部材はベースストランドの第２の端の最も近くで人工まつげに固定される。第１および第２の柔軟性のある部材はしっかりつかまれ、選択された程度の張力が人工まつげに与えられる。人工まつげは、第１および第２の柔軟性のある部材を用い、まぶた上の選択された位置で操作される。人工まつげは粘着材料でまぶたに固定され、第１の柔軟性のある部材および第２の柔軟性のある部材は人工まつげから除去される。
【００１１】
本方法の別の側面で、第１の柔軟性のある部材は第１の端の最も近くに提供された第１のループを突き通し、第２の柔軟性のある部材は第２の端の最も近くに提供された第２のループを突き通す。
【００１２】
本方法の別の側面で、第１の柔軟性のある部材は第１のループを滑らかに滑り、第２の柔軟性のある部材は第２のループを滑らかに滑る。
【００１３】
本方法の別の側面で、第１のクリップはベースストランドの第１の端の最も近くで人工まつげの上で閉じられ、第２のクリップはベースストランドの第２の端の最も近くで人工まつげの上で閉じられる。本方法の別の側面で、第１のクリップおよび第２のクリップは開かれる。
【００１４】
他の側面で、人工まつげは、第１の端と第１の端の反対側の第２の端と複数の毛を有するベースストランドを含んでいる。第１のループはベースストランドの第１の端の最も近くに配置され、第２のループはベースストランドの第２の端の最も近くに配置される。
【００１５】
別の側面で、人工まつげはまぶた上に人工まつげを固定するため粘着材料を含んでいる。
【００１６】
別の側面で、第１のループと第２のループは複数の毛と本質的に同じ色である。
【００１７】
他の側面で、人工まつげ組み立て品は第１の端と第１の端の反対側の第２の端と複数の毛を有するベースストランドを含んでいる。第１のループはベースストランドの第１の端の最も近くに配置され、第２のループはベースストランドの第２の端の最も近くに配置される。第１の柔軟性のある部材は第１のループと連結され、第２の柔軟性のある部材は第２のループと連結される。
【００１８】
別の側面で、人工まつげ組み立て品はまぶた上に人工まつげを固定するため粘着材料を含んでいる。
【００１９】
別の側面で、第１の柔軟性のある部材と第２の柔軟性のある部材は、それぞれある長さの糸を含んでいる。別の側面で、第１の柔軟性のある部材と第２の柔軟性のある部材は、それぞれ透明または半透明の材料を含んでいる。
【００２０】
別の側面で、第１の柔軟性のある部材と第２の柔軟性のある部材は、それぞれ汚れがこびりつかない表面を含む。別の側面で、第１の柔軟性のある部材と第２の柔軟性のある部材は、それぞれシリコン処理糸を含んでいる。
【００２１】
他の側面で、人工まつげ組み立て品は第１の端と第１の端の反対側の第２の端と複数の毛を有するベースストランドを含んでいる。第１の柔軟性のある部材は第１の端の最も近くで連結され、第２の柔軟性のある部材は第２の端の最も近くで連結される。
【００２２】
他の側面で、人工まつげ組み立て品はまぶた上に人工まつげを固定するため粘着材料を含んでいる。
【００２３】
他の側面で、人工まつげ組み立て品はさらに第１の柔軟性のある部材に固定された第１のクリップと第２の柔軟性のある部材に固定された第２のクリップを含む。他の側面で、第１のクリップは、第１の柔軟性のある部材を受け入れるための第１の開口とベースストランドの第１の端をしっかりつかむための第１の保持部分とを含み、第２のクリップは、第２の柔軟性のある部材を受け入れるための第２の開口とベースストランドの第２の端をしっかりつかむための第２の保持部分とを含む。
【００２４】
他の側面で、第１のクリップと第２のクリップのそれぞれはベースストランドをしっかりつかむための閉じた位置とベースストランドを開放するための開いた位置との間を移動可能なスナップ方式のクリップを含む。
【発明の効果】
【００２５】
本発明の側面による人工まつげ、人工まつげ組み立て品および／または人工まつげを装着するための方法の効果は、使用者の手および／または指が装着領域から離れており、したがって遮るもののない視界を提供し、より正確な位置決めを可能とする。本発明の側面による人工まつげ、人工まつげ組み立て品および／または人工まつげを装着するための方法の他の効果は、使用者の手または装着器への望まない接着が除去または最小化されることである。本発明の側面による人工まつげ、人工まつげ組み立て品および／または人工まつげを装着するための方法の他の効果は、使用者が簡単かつ容易に選択された張力、および様々な目の形の上に人工まつげの位置決めを達成できる。
【００２６】
本発明の他の利得と特徴は同封の図と関連した詳細な以下の記載から明確になる。しかしながら、図面は単に説明のためであり、本発明の制限の意味ではない。
【００２７】
図の中で、同じ参照番号はいくつかの図を通して同じ要素を示している。
【図面の簡単な説明】
【００２８】
【図１】丸い形を有する目の典型的なペアを示す。
【図２】卵形を有する目の典型的なペアを示す。
【図３】アーモンド形を有する目の典型的なペアを示す。
【図４】本発明の実施形態による人工まつげを示す。図４Ａは、図４で示された人工まつげの端の詳細を示す。
【図５】本発明の実施形態による人工まつげ組み立て品を示す。
【図６】開いた位置でのクリップのペアを有する本発明の他の実施形態による人工まつげ組み立て品を示す。
【図７】人工まつげのそれぞれの端をしっかりつかむため、クリップのペアが閉じた位置での図６に示された人工まつげ組み立て品を示す。
【図８】人工まつげがクリップのペアから解放された図６に示された人工まつげ組み立て品を示す。
【図９】本発明の実施形態による人工まつげ組み立て品のためのクリップを示す。
【図１０】旋回された図９のクリップを示す。
【図１１】開いた位置での図９および図１０のクリップを示す。
【図１２】閉じた位置での図９、図１０および図１１のクリップを示す。
【発明を実施するための形態】
【００２９】
上記で記載したように、まぶたへの人工まつげの効果的な装着は、人工まつげの正確な位置決めと同様に、適切な程度の張力と湾曲を要求する。まぶたの隅で人工まつげの端の十分な接着を達成することは特に重要である。なぜなら、ここは、もし人工まつげが適切に装着されない場合、浮き上がる領域であるためである。
【００３０】
さらに人工まつげを装着する人は本質的に様々な目の形を有している。例えば、図１は、丸い形を有する目の典型的なペアを示し、図２は、卵形を有する目の典型的なペアを示し、図３は、アーモンド形を有する目の典型的なペアを示す。
【００３１】
本発明の実施形態による人工まつげ、人工まつげ組み立て品および／または人工まつげを装着するための方法は、図１から図３に例示的に示したおよびそれらの変形を含む様々な目の形に対して効果的な人工まつげの装着を提供する。
【００３２】
図４は、本発明の実施形態による人工まつげを示す。人工まつげ１は、第１の端１１と第１の端１１と反対側の第２の端１２を有するベースストランド（base strand）１０を有する。複数の毛１３はベースストランド１０と連結している。毛１３は好ましくは現実の人間のまつげの外観をシミュレートしている曲がった形状を有している。ここで用いられている用語「人工まつげ」は、着用者の体の部分ではない器具に言及する。ベースストランド１０および／または複数の毛１３を有する人工まつげ１は、例えば人間の毛、動物の毛または合成繊維またはこれらの組み合わせから形成されている。
【００３３】
図４Ａは、人工まつげ１の第２の端１２の詳細を示す。人工まつげ１は、まぶたまたはまぶたに最も近いところに人工まつげ１を固定するための粘着材料１４を含んでいる。粘着材料１４（一定の縮小比で示されていない）は、例えば、人工まつげ１の材料と共存できる、およびまぶたまたはここに最も近いところに人工まつげを粘着するために適切なラテックス性の接着材または他の粘着材料であることができる。人工まつげ１は粘着材料１４が事前に適用されて提供されることができる。逆に使用者が粘着材料１４を人工まつげ１に適用することもできる。好ましくは、粘着材料１４は、ベースストランド１０の全体の長さまたは本質的に全体の長さで提供される、または使用者によって適用される。例えば、人工まつげは粘着材料１４内に浸されることができ、または、装着のためのボトル、チューブ、ブラシ、つまようじ、または毛抜き等の装着器で人工まつげに粘着材料１４を適用することができる。
【００３４】
第１のループ３１は、ベースストランド１０の第１の端１１の最も近くに配置され、第２のループ３２は、ベースストランド１０の第２の端１２の最も近くに配置される。第１のループ３１と第２のループ３２はベースストランド１０または毛１３から広がり、後ろに戻り、閉じたループを形成する。ループ３１とループ３２は、製造工程中に人工まつげに組み入れられ、ベースストランド１０および／または複数の毛１３と同じ材料、または異なった材料から形成される。
【００３５】
第１のループ３１と第２のループ３２は、複数の毛１３と同じ色または本質的に同じ色であることができる。例えば、第１のループ３１、第２のループ３２、および複数の毛１３はすべて黒い影であることができる。追加的に、第１のループ３１と第２のループ３２は、薄い材料から構成され、小さい体積を有し、その結果、ループ３１、３２は裸目でほとんどと見ることはできない。このようにループ３１、３２は人工まつげ１に混ぜ合わされ、その存在を損なわない、または人工まつげを不自然に見せない。
【００３６】
第１のループ３１と第２のループ３２は、それぞれベースストランド１０の第１の端１１と第２の端１２の最も近くに配置される。用語「最も近く」はループ３１、３２がベースストランド１０のそれぞれの端または端の近くに置かれることを意図する。例えば、ループ３１、３２はベースストランド１０の端に位置することができ、また、ループを含んでいる部分を切り取ることなく、特に使用者の自然なまつげのラインにフィットするための長さに人工まつげの端を切り取るため、端から十分離れることができる。これは、ループ３１、３２が典型的に人工まつげ１のそれぞれの端から約０から７ミリメートルの距離に置かれていることを意図する。例えば、ループ３１、３２は、サイズ合わせのため人工まつげを切り取ることができるように、人工まつげ１のそれぞれの端から近似的に５ミリメートルの距離に置かれる。人工まつげの端からより大きな距離も可能であり、人工まつげスタイルの自然さおよび／または、例えば、装着者の自然のまつげラインのサイズを含んでいる、装着者の特別な要求に依存する。
【００３７】
図５に示すように、本発明の実施形態による人工まつげ組み立て品は、さらに第１のループ３１に連結する第１の柔軟性のある部材２１と第２のループ３２に連結する第２の柔軟性のある部材２２を含んでいる。柔軟性のある部材２１、２２は、糸、綱、繊維または同様な材料の細長い長さであることも好ましい。柔軟性のある部材２１、２２は、透明または半透明の材料から作られることもできる。この特徴は、装着の間選択した位置でそれが操作されるとき、人工まつげ１の視界を増加させる。第１と第２の柔軟性のある部材２１、２２は、粘着材料１４が柔軟性のある部材２１、２２に粘着することを妨げるため汚れがこびりつかない表面を含むこともできる。汚れがこびりつかない表面は、柔軟性のある部材２１、２２を簡単にそれぞれループ３１、３２の中からおよび外から滑らかに動かすことができる。例えば、柔軟性のある部材２１、２２はある長さのシリコンまたは糸処理されたシリコンを含む。
【００３８】
図６、図７、および図８は、本発明の他の実施形態による人工まつげ組み立て品を示す。示されたように人工まつげ１は、第１の端１１と第１の端１１と反対側の第２の端１２を有するベースストランド１０を有する。複数の毛１３はベースストランド１０と連結している。粘着材料（例えば図４Ａに示される）は、人工まつげ１をまぶたに固定するために提供される。第１の柔軟性のある部材２１は第１の端１１の最も近くで連結し、第２の柔軟性のある部材２２は第２の端１２の最も近くで連結する。前述の特徴は、図４、図４Ａ、および図５の実施形態で前に記載された通りである。
【００３９】
人工まつげ組み立て品はさらに第１の柔軟性のある部材２１に固定された第１のクリップ４１と第２の柔軟性のある部材２２に固定された第２のクリップ４２とを有する。図９〜図１２に示されるように、第１と第２のクリップのそれぞれは、人工まつげ１のベースストランド１０の端１１、１２をしっかりつかむための拡張されたつまみまたは保持部を有しているスナッピングまたはスナップ方式の形状である。
【００４０】
クリップ４１、４２は、ヒンジで連結された手法で接続された上部４３と下部４４を有することができる。上部４３は上部保持部４５を含み、下部４４は下部保持部４６を含む。上部および下部保持部４５、４６は、第１のクリップ４１の第１の保持部５１と第２のクリップ４２の第２の保持部５２を提供するため、クリップが閉じたときに合わさる。第１および第２の保持部５１、５２は、長さで約７ミリメートル、幅で約４ミリメートルの拡張されたつまみの形状であることができる。これらの寸法は、単に例示であり、保持部の、より大きいまたはより小さい寸法も可能である。
【００４１】
例として図７に示したように、閉じられたまたは固定された位置で、第１のクリップ４１は、第１の保持部５１でベースストランド１０の第１の端１１をしっかりつかみ、第２のクリップ４２は、第２の保持部５２でベースストランド１０の第２の端１２をしっかりつかむ。例として図６に示したように、第１のクリップ４１と第２のクリップ４２は、ベースストランド１０を開放するため、開いたまたは固定されない位置に折れるまたは動かされることができる。したがって、第１のクリップ４１と第２のクリップ４２のそれぞれは、ベースストランド１０をしっかりつかむための閉じた位置とベースストランド１０を開放するための開いた位置との間を動くことができる。
【００４２】
第１と第２のクリップ４１、４２はそれぞれ第１と第２の柔軟性のある部材２１、２２を受け入れるための第１と第２の開口（４８、４９）を含むこともできる。図９〜図１１に示したように、第１と第２の開口は、上部４３の上部開口４８と下部４４の下部開口４９によって形成される。クリップ４１、４２を固定するため、柔軟性のある部材２１、２２がそれぞれ開口を突き通すことができるように、開口４８、４９は大きさが決められている。
【００４３】
第１と第２のクリップ４１、４２は円柱または柱４０を含むこともできる。図９〜図１２に示したように、円柱４０は、クリップの下部４４から上方向に延び、対応するクリップの上部４３に提供された開口４７と噛み合う。円柱４０と開口４７の相互作用は、人工まつげ１のベースストランド１０をしっかりつかむため、その閉じた位置でクリップを固定することを助ける。図１２に示したように、円柱４０は、クリップがその閉じたまたは固定された位置にあるとき、開口４７を突き出ることもできる。使用者は容易に、親指または指で円柱４０を押すこと、同時に、例えば、上部保持部４５のようなクリップの上部４３の部分を保持することまたは引くことによってクリップ４０をあけることができる。
【００４４】
本発明の実施形態による、まぶたに人工まつげ１を装着するための方法は、ベースストランド１０と複数の毛１３を有している人工まつげ１を提供するステップを含んでいる。第１の柔軟性のある部材２１は、ベースストランド１２の第１の端１１の最も近くに固定され、第２の柔軟性のある部材２２は、ベースストランドの第２の端１２の最も近くに固定される。
【００４５】
第１と第２の柔軟性のある部材２１、２２は、糸、綱、繊維または同様な材料の細長い長さであり、透明または半透明の材料から作られ、汚れがこびりつかない表面を有することができる。
【００４６】
第１と第２の柔軟性のある部材２１、２２は、例えば第１の端１１の最も近くに提供された第１のループ３１を通して、第１の柔軟性のある部材２１を突き通すこと、および第２の端１２の最も近くに提供された第２のループ３２を通して、第２の柔軟性のある部材２２を通すことによって、人工まつげ１に固定されることができる。第１と第２の柔軟性のある部材２１、２２は、また、ベースストランド１０の第１の端１１の最も近くで人工まつげ１の第１のクリップ４１を閉じることおよびベースストランド１０の第２の端１２の最も近くで人工まつげ１の第２のクリップ４２を閉じることによって、人工まつげ１に固定されることができる。第１と第２のクリップ４１、４２はそれぞれ第１と第２の柔軟性のある部材２１、２２に連結される。
【００４７】
使用者は、第１と第２の柔軟性のある部材４１、４２をしっかりつかみ、人工まつげ１上に選択された程度の張力を与える。使用者は、第１と第２の柔軟性のある部材２１、２２を用い、まぶた上の選択された位置で人工まつげ１を操作する。第１と第２の柔軟性のある部材２１、２２の細長い配置は、彼または彼女の指および手を装着領域から離したまま人工まつげを使用者が操作することを可能とする。したがって、拡張された視界と、人工まつげ１の正確な位置決めを提供する。
【００４８】
使用者は、粘着材料１４でまぶたに人工まつげ１を固定する。粘着材料１４は、典型的に人工まつげ１のベースストランド１０に事前に適用されている。第１と第２の柔軟性のある部材２１、２２は、その後人工まつげ１から取り除かれる。例えば、第１と第２の柔軟性のある部材２１、２２は、それぞれ第１と第２のループ３１、３２を通して滑らかに滑ることができる。この工程は、汚れがこびりつかない表面で柔軟性のある部材を提供することによって、容易にされる。例えば、第１と第２の柔軟性のある部材はシリコンまたはシリコン処理された糸から形成することができる。第１と第２の部材２１、２２はそれぞれ、第１と第２のクリップ４１、４２を開くことまたは開放することによって除去することができる。
【００４９】
本発明のいくつかの実施形態が示され記載されたが、多くの変形と修正が、本発明の意図と範囲から逸脱すくことなく可能であることは明らかである。
【符号の説明】
【００５０】
１  人工まつげ
１０  ベースストランド
１１  第１の端
１２  第２の端
１３  複数の毛
１４  粘着材料
２１  第１の柔軟性のある部材
２２  第２の柔軟性のある部材
３１  第１のループ
３２  第２のループ
４０  円柱
４１  第１のクリップ
４２  第２のクリップ
４３  上部
４４  下部
４５  上部保持部
４６  下部保持部
４７  開口
４８  第１の開口
４９  第２の開口
５１  第１の保持部
５２  第２の保持部
【図１】
2011074554.tif 000003
【図２】
2011074554.tif 000004
【図３】
2011074554.tif 000005
【図４】
2011074554.tif 000006
【図５】
2011074554.tif 000007
【図６】
2011074554.tif 000008
【図７】
2011074554.tif 000009
【図８】
2011074554.tif 000010
【図９】
2011074554.tif 000011
【図１０】
2011074554.tif 000012
【図１１】
2011074554.tif 000013
【図１２】
2011074554.tif 000014
【外国語明細書】
2011074554.tif 000015
2011074554.tif 000016
2011074554.tif 000017
2011074554.tif 000018
2011074554.tif 000019
2011074554.tif 000020
2011074554.tif 000021
2011074554.tif 000022
2011074554.tif 000023
2011074554.tif 000024
2011074554.tif 000025
2011074554.tif 000026
2011074554.tif 000027
2011074554.tif 000028
2011074554.tif 000029
2011074554.tif 000030
2011074554.tif 000031
2011074554.tif 000032
2011074554.tif 000033
2011074554.tif 000034
2011074554.tif 000035
2011074554.tif 000036
2011074554.tif 000037
2011074554.tif 000038
2011074554.tif 000039
2011074554.tif 000040
2011074554.tif 000041
2011074554.tif 000042
2011074554.tif 000043
2011074554.tif 000044
2011074554.tif 000045
2011074554.tif 000046
2011074554.tif 000047
2011074554.tif 000048
2011074554.tif 000049
2011074554.tif 000050
2011074554.tif 000051